【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
管状要素の一末端上に雄ねじを配置されている管状要素であって、
前記雄ねじが、テーパーねじ谷の面とねじ切りの長手方向軸（ａａ）間で測定される第１のテーパー角度（β）をもつテーパーねじ谷の面を有し、前記テーパーねじ谷の面が第１の末端で、スタビングフランクに対して一定の曲率半径の凹状湾曲面により接線方向に接合され、前記テーパーねじ谷の面が第２の末端で、ねじ谷の溝に対して一定の曲率半径の凸状湾曲面により接合され、
前記ねじ谷の溝が、テーパーねじ谷の面からロードフランクに延伸し、
前記ねじ谷の溝が、変動可能な曲率半径をもつ第１の楕円面を有する第１の部分であって、前記第１の楕円面が楕円の一部である、第１の部分を含み、そして
前記ねじ谷の溝が更に、変動可能な曲率半径をもつ第２の楕円面を有する第２の部分を含み、前記第２の楕円面が第２の楕円の一部であり、前記第２の楕円面が第１の末端で、第１の楕円面に対して接線方向に接合され、そして前記の第２の楕円面が第２の末端で、ロードフランクに対して接線方向に接合されている、
管状要素。
【請求項２】
テーパーねじ谷の面がネジ切り軸（ａａ）に平行であるように、第１のテーパー角度（β）が０度である、請求項１の管状要素。
【請求項３】
第１のテーパー角度（β）が雄ねじのスタビングフランクとねじ切り軸（ａａ）間で測定される角度の測定値より小さい、請求項１の管状要素。
【請求項４】
ねじ切り軸（ａａ）と管状要素の側壁の長手方向軸（ｄｄ）間で測定される角度シータが１．５度〜１２度の間である、請求項１の管状要素。
【請求項５】
第２の楕円の長軸（ｃｃ）がロードフランクに垂直に配置されている、請求項１の管状要素。
【請求項６】
第１の楕円の長軸（ｂｂ）が第２の楕円の長軸（ｃｃ）に垂直である、請求項１の管状要素。
【請求項７】
第１の楕円の長軸（ｂｂ）が第２の楕円の短軸と一直線である、請求項１の管状要素。
【請求項８】
第１の楕円が長軸（ｂｂ）に沿った第１の前以て決定された直径（Ｄ１）および短軸に沿った第２の前以て決定された直径（Ｄ２）を有し、そして第２の楕円が、第１の楕円の長軸（ｂｂ）に沿った直径（Ｄ１）に等しい、長軸（ｃｃ）に沿った前以て決定された直径（Ｄ３）を有し、そして第２の楕円が、第１の楕円の短軸に沿った直径（Ｄ２）に等しい、短軸に沿った第２の直径（Ｄ４）を有する、請求項１の管状要素。
【請求項９】
第１の楕円が長軸（ｂｂ）に沿った第１の前以て決定された直径（Ｄ１）および短軸に沿った第２の前以て決定された直径（Ｄ２）を有し、そして第２の楕円が第１の楕円の長軸（ｂｂ）に沿った直径（Ｄ１）に等しい、長軸（ｃｃ）に沿った前以て決定された直径（Ｄ３）を有し、そして第２の楕円が、第１の楕円の短軸に沿った直径（Ｄ２）より大きい、短軸に沿った第２の直径（Ｄ４）を有する、請求項１の管状要素。
【請求項１０】
第１の楕円が、長軸（ｂｂ）に沿った第１の前以て決定された直径（Ｄ１）および短軸に沿った第２の前以て決定された直径（Ｄ２）を有し、そして第２の楕円が長軸（ｃｃ）に沿った前以て決定された直径（Ｄ３）を有し、そして第１の楕円の短軸に沿った直径（Ｄ２）より大きい、短軸に沿った第２の直径（Ｄ４）を有する、請求項１の管状要素。
【請求項１１】
第１の楕円が長軸（ｂｂ）に沿った第１の前以て決定された直径（Ｄ１）および短軸に沿った第２の前以て決定された直径（Ｄ２）を有し、そして、第２の楕円が長軸（ｃｃ）に沿った前以て決定された直径（Ｄ３）を有し、そして第１の楕円の短軸に沿った直径（Ｄ２）より小さい、短軸に沿った第２の直径（Ｄ４）を有する、請求項１の管状要素。
【請求項１２】
第１の楕円が長軸（ｂｂ）に沿った第１の前以て決定された直径（Ｄ１）および短軸に沿った第２の前以て決定された直径（Ｄ２）を有し、そして、第２の楕円が長軸（ｃｃ）に沿った前以て決定された直径（Ｄ３）を有し、そして短軸に沿った第２の直径（Ｄ４）を有し、そして、第２の楕円の長軸（ｃｃ）に沿った直径（Ｄ３）が第１の楕円の長軸（ｂｂ）に沿った直径Ｄ１より小さい、請求項１の管状要素。
【請求項１３】
第１の楕円が長軸（ｂｂ）に沿った第１の前以て決定された直径（Ｄ１）および短軸に沿った第２の前以て決定された直径（Ｄ２）を有し、そして、第２の楕円が長軸（ｃｃ）に沿った前以て決定された直径（Ｄ３）を有し、そして短軸に沿った第２の直径（Ｄ４）を有し、そして、第２の楕円の長軸（ｃｃ）に沿った直径（Ｄ３）が第１の楕円の長軸（ｂｂ）に沿った直径（Ｄ１）より大きい、請求項１の管状要素。
【請求項１４】
ロードフランクが、ロードフランクとねじ切り軸（ａａ）に対する垂線との間で測定される角度に関して配置され、前記角度が−９〜５度の間の範囲にある、請求項１の管状要素。
【請求項１５】
第２の楕円面が第１の末端で、ねじ谷の溝の底部を区画する接合点において第１の楕円面に接線方向に接合されている、請求項１の管状要素。
【請求項１６】
ねじの溝の底部がテーパーねじ谷の面のレベルより下方の管状要素の側壁に配置されている、請求項１５の管状要素。
【請求項１７】
テーパーの軸（ａａ）をもつテーパー雄ねじを含む雄型管状要素と、および
テーパーの軸（ａａ）をもつテーパー雌ねじを含む雌型管状要素（ここで前記雌ねじは、ねじ接続が組み込まれる時に雄ねじと共働する）と、
を有する、ねじ込み管状連結であって、ここで
テーパー雄ねじとテーパー雌ねじの少なくとも一方のねじ谷の面が、テーパーねじ谷面とねじ切りの長手方向軸（ａａ）間で測定される第１のテーパー角度（β）をもつテーパーねじ谷の面を有し、前記テーパーねじ谷の面が第１の末端で、スタビングフランクに対し一定の曲率半径の凹状湾曲面により接線方向に接合され、前記テーパーねじ谷の面が第２の末端で、ねじ谷の溝に対し一定の曲率半径の凸状湾曲面により接合され、
前記ねじ谷の溝がテーパーねじ谷の面からロードフランクに延伸し、前記ねじ谷の溝が、変動可能な曲率半径をもち、楕円の一部である第１の楕円面を有する第１の部分を含み、そして
前記ねじ谷の溝が更に、変動可能な曲率半径をもち、第２の楕円の一部である第２の楕円面を有する第２の部分を含み、前記第２の楕円面が第１の末端で、第１の楕円面に対し接線方向に接合されており、そして前記第２の楕円面が第２の末端で、ロードフランクに対して接線方向に接合されている、
ねじ込み管状連結。
【請求項１８】
テーパーねじ谷の面がねじ切りの軸（ａａ）に平行であるように、第１のテーパー角度（β）が０度である、請求項１７のねじ込み管状連結。
【請求項１９】
第１のテーパー角度（β）が、雄ねじのスタビングフランクとねじ切り軸（ａａ）間で測定される角度の測定値より小さい、請求項１７のねじ込み管状連結。
【請求項２０】
ねじ切り軸（ａａ）と管状要素の側壁の長手方向軸（ｄｄ）間で測定される角度シータが１．５度〜１２度の間である、請求項１７のねじ込み管状連結。
【請求項２１】
第２の楕円の長軸（ｃｃ）がロードフランクに垂直に配置されている、請求項１７のねじ込み管状連結。
【請求項２２】
第１の楕円の長軸（ｂｂ）が第２の楕円の長軸（ｃｃ）に垂直である、請求項１７のねじ込み管状連結。
【請求項２３】
第１の楕円の長軸（ｂｂ）が第２の楕円の短軸と一直線である、請求項１７のねじ込み管状連結。
【請求項２４】
第１の楕円が長軸（ｂｂ）に沿った第１の前以て決定された直径（Ｄ１）および、短軸に沿った第２の前以て決定された直径（Ｄ２）をもち、そして、第２の楕円が、第１の楕円の長軸（ｂｂ）に沿った直径（Ｄ１）に等しい、長軸（ｃｃ）に沿った、前以て決定された直径（Ｄ３）をもち、そして第２の楕円が、第１の楕円の短軸に沿った直径（Ｄ２）に等しい、短軸に沿った第２の直径（Ｄ４）を有する、請求項１７のねじ込み管状連結。
【請求項２５】
第１の楕円が長軸（ｂｂ）に沿った第１の前以て決定された直径（Ｄ１）および、短軸に沿った第２の前以て決定された直径（Ｄ２）をもち、そして第２の楕円が、第１の楕円の長軸（ｂｂ）に沿った直径（Ｄ１）に等しい、長軸（ｃｃ）に沿った前以て決定された直径（Ｄ３）をもち、そして第２の楕円が、第１の楕円の短軸に沿った直径（Ｄ２）より大きい、短軸に沿った第２の直径（Ｄ４）を有する、請求項１７のねじ込み管状連結。
【請求項２６】
第１の楕円が長軸（ｂｂ）に沿った第１の前以て決定された直径（Ｄ１）および、短軸に沿った第２の前以て決定された直径（Ｄ２）をもち、そして第２の楕円が、長軸（ｃｃ）に沿った前以て決定された直径（Ｄ３）をもち、そして第１の楕円（２０７）の短軸に沿った直径（Ｄ２）より大きい、短軸に沿った第２の直径（Ｄ４）を有する、請求項１７のねじ込み管状連結。
【請求項２７】
第１の楕円が、長軸（ｂｂ）に沿った第１の前以て決定された直径（Ｄ１）および、短軸に沿った第２の前以て決定された直径（Ｄ２）をもち、そして、第２の楕円が、長軸（ｃｃ）に沿った前以て決定された直径（Ｄ３）をもち、そして第１の楕円の短軸に沿った直径（Ｄ２）より小さい、短軸に沿った第２の直径（Ｄ４）を有する、請求項１７のねじ込み管状連結。
【請求項２８】
第１の楕円が、長軸（ｂｂ）に沿った第１の前以て決定された直径（Ｄ１）および、短軸に沿った第２の前以て決定された直径（Ｄ２）をもち、そして、第２の楕円が、長軸（ｃｃ）に沿った前以て決定された直径（Ｄ３）をもち、そして短軸に沿った第２の直径（Ｄ４）をもち、そして、第２の楕円の長軸（ｃｃ）に沿った直径（Ｄ３）が第１の楕円の長軸（ｂｂ）に沿った直径Ｄ１より小さい、請求項１７のねじ込み管状連結。
【請求項２９】
第１の楕円が、長軸（ｂｂ）に沿った第１の前以て決定された直径（Ｄ１）および、短軸に沿った第２の前以て決定された直径（Ｄ２）をもち、そして、第２の楕円が、長軸（ｃｃ）に沿った前以て決定された直径（Ｄ３）をもち、そして短軸に沿った第２の直径（Ｄ４）をもち、そして、第２の楕円の長軸（ｃｃ）に沿った直径（Ｄ３）が、第１の楕円の長軸（ｂｂ）に沿った直径（Ｄ１）より大きい、請求項１７のねじ込み管状連結。
【請求項３０】
ロードフランクが、ロードフランクとねじ切り軸（ａａ）に対する垂線との間で測定される角度に関して配置され、前記角度が−９〜５度の範囲にある、請求項１７のねじ込み管状連結。
【請求項３１】
第２の楕円面が第１の末端で、ねじ谷の溝の底部を区画する接合点において第１の楕円面に対し接線方向に接合される、請求項１７のねじ込み管状連結。
【手続補正２】
【補正対象書類名】明細書
【補正対象項目名】００１７
【補正方法】変更
【補正の内容】
【００１７】
とりわけ、管状要素の一末端上に配置される雄ねじまたは雌ねじのデザインが開示される。雄ねじまたは雌ねじは、ねじ切りの長手方向軸（ａａ）から測定される、第１のテーパー角度（β）をもつテーパーねじ谷の面を含み、前記テーパーねじ谷の面が第１の末端で、スタビングフランクに対して一定の曲率半径の凹状湾曲面により接線方向に接合され、前記テーパーねじ谷の面が第２の末端で、ねじ谷の溝に対し、一定の曲率半径の凸状湾曲面により接合されている。ねじ谷の溝はテーパーねじ谷の面からロードフランクに延伸する。
【手続補正３】
【補正対象書類名】明細書
【補正対象項目名】００２５
【補正方法】変更
【補正の内容】
【００２５】
本発明の二重楕円のねじ谷形状の様々な実施は、テーパー軸（ａａ）をもつテーパー雄ねじを含む雄型管状要素、およびテーパー軸（ａａ）をもつテーパー雌ねじを含む雌型管状要素、を有するねじ連結に使用することができ、前記雌ねじは、ねじ接続が組み込まれる時に雄ねじと協力する。雄ねじと雌ねじの少なくとも一方におけるねじ谷の面は、テーパーねじ谷の面１０１とねじ切りの長手方向軸（ａａ）間で測定される第１のテーパー角度（β）をもつテーパーねじ谷の面を含み、前記テーパーねじ谷の面が第１の末端で、スタビングフランクに対し、一定の曲率半径の凹状湾曲面により接線方向に接合され、前記テーパーねじ谷の面が第２の末端で、ねじ谷の溝に対し、一定の曲率半径の凸状湾曲面により接合されている。ねじ谷の溝はテーパーねじ谷の面からロードフランクに延伸する。ねじ谷の溝は変動可能な曲率半径をもつ第１の楕円面を含んでなる第１の部分、を含み、前記第１の楕円面が楕円の一部であり、そして前記ねじ谷の溝が更に、変動可能な曲率半径をもつ第２の楕円面を含んでなる第２の部分を含み、前記第２の楕円面が第２の楕円の一部であり、前記第２の楕円面が第１の末端において、ねじ谷の溝の底部を区画する接合点において、第１の楕円面に対し接線方向に接合され、そして前記第２の楕円面が第２の末端において、ロードフランクに対し接線方向に接合されている。ねじ谷の溝の底部はテーパーねじ谷の面のレベルより下方で管状要素の側壁に配置されている。
【手続補正４】
【補正対象書類名】明細書
【補正対象項目名】００２６
【補正方法】変更
【補正の内容】
【００２６】
本発明の二重楕円のねじ谷形状の、テーパー雄ねじまたは雌ねじを切削する方法が開示される。該方法は、管状要素を提供する方法、前記管状要素の一末端上にテーパー雄ねじまたは雌ねじを切削する方法、を含み、ここで前記テーパー雄ねじまたは雌ねじがテーパーねじ谷の面１０１とねじ切りの長手方向軸（ａａ）との間で測定される第１のテーパー角度（β）をもつテーパーねじ谷の面を含み、前記テーパーねじ谷の面が第１の末端において、スタビングフランクに対して一定の曲率半径の凹状湾曲面により接線方向に接合され、前記テーパーねじ谷の面が第２の末端において、ねじ谷の溝に対して一定の曲率半径の凸状湾曲面により接合される。ねじ谷の溝はテーパーねじ谷の面からロードフランクに延伸する。ねじ谷の溝は、変動可能な曲率半径をもつ第１の楕円面を含んでなる第１の部分を含み、前記第１の楕円面が楕円の一部であり、そして前記ねじ谷の溝が更に、変動可能な曲率半径をもつ第２の楕円面を含んでなる第２の部分を含み、前記第２の楕円面が、第２の楕円の一部であり、前記第２の楕円面が第１の末端において、ねじ谷の溝の底部を区画する接合点において第１の楕円面に対して接線方向に接合され、そして前記第２の楕円面が、第２の末端において、ロードフランクに対して接線方向に接合される。ねじ谷の溝の底部はテーパーねじ谷の面のレベルより下方で管状要素の側壁に配置される。
【手続補正５】
【補正対象書類名】明細書
【補正対象項目名】００３２
【補正方法】変更
【補正の内容】
【００３２】
テーパーねじ谷の面１０１は第１の末端で、スタビングフランク１２０に対して一定の曲率半径の凹状湾曲面１０２により接線方向に接合され、そしてテーパーねじ谷の面１０１は第２の末端で、ねじ谷の溝１０３に対して一定の曲率半径の凸状湾曲面１０４により接合されている。ねじ谷の溝１０３は、テーパーねじ谷の面１０１からロードフランク１５０に延伸する。
【手続補正６】
【補正対象書類名】明細書
【補正対象項目名】００４２
【補正方法】変更
【補正の内容】
【００４２】
第２の実施において、テーパーねじ２００は、ねじ谷の面２０１とねじ切りのテーパー軸（ａａ）間で測定されるテーパー角度（β）において配置されたテーパーねじ谷の面２０１を含む。ねじ切りのテーパーの軸（ａａ）から測定されるテーパー角度（β）は、スタビングフランク（２２０）とねじ切りの軸（ａａ）間の測定角度より小さい。テーパーねじ谷の面２０１は第１の末端において、スタビングフランク２２０に対し一定の曲率半径の凹状湾曲面２０２により接線方向に接合され、そしてテーパーねじ谷の面２０１は、第２の末端において、ねじ谷の溝２０３に対し一定の曲率半径の凸状湾曲面２０４により接合されている。ねじ谷の溝２０３はテーパーねじ谷の面２０１からロードフランク２５０に延伸する。
【手続補正７】
【補正対象書類名】明細書
【補正対象項目名】００５２
【補正方法】変更
【補正の内容】
【００５２】
テーパーねじ谷の面３０１は第１の末端で、スタビングフランク３２０に対して、一定の曲率半径の凹状湾曲面３０２により接線方向に接合され、そしてテーパーねじ谷の面３０１は第２の末端で、ねじ谷の溝３０３に対し、一定の曲率半径の凸状湾曲面３０４により接合されている。ねじ谷の溝３０３はテーパーねじ谷の面３０１からロードフランク３５０に延伸する。
【手続補正８】
【補正対象書類名】明細書
【補正対象項目名】００６０
【補正方法】変更
【補正の内容】
【００６０】
本開示はまた、管状要素の末端上に雄ねじまたは雌ねじ１００、２００、３００を切削する方法を含む。該方法は、管状要素１１、２１、３１、１３、２３、３３を提供し、管状要素の各ピンの末端１２、２２、３２上またはボックスの末端１４、２４、３４上にテーパー雄ねじまたは雌ねじを切削する方法を含み、ここでテーパーねじ切りは、ねじ谷の面１０１、２０１、３０１を含む。テーパーねじ谷の面１０１、２０１、３０１は第１の末端において、スタビングフランク１２０、２２０、３２０に対して、一定の曲率半径の凹状湾曲面１０２、２０２、３０２により接線方向に接合される。テーパーねじ谷の面１０１、２０１、３０１は第２の末端において、ねじ谷の溝１０３に対し、一定の曲率半径の凸状湾曲面１０４により接合される。ねじ谷の溝１０３、２０３、３０３はテーパーねじ谷の面１０１、２０１、３０１からロードフランク１５０、２５０、３５０に延伸する。ねじ谷の溝１０３、２０３、３０３は変動可能な曲率半径をもつ第１の楕円面１０６、２０６、３０６を含んでなる第１の部分を含み、前記第１の楕円面１０６、２０６、３０６は楕円１０７、２０７、３０７の一部であり、そしてねじ谷の溝１０３、２０３、３０３は更に、変動可能な曲率半径をもつ第２の楕円面１０８、２０８、３０８を含んでなる第２の部分を含み、前記第２の楕円面は第２の楕円１１０、２１０、３１０の一部である。第２の楕円面１０８、２０８、３０８は第１の末端において、溝の底部を区画する接合点１０９、２０９、３０９において第１の楕円面１０６、２０６、３０６に対し接線方向に接合される。第２の楕円面は第２の末端において、ロードフランク１０５、２０５、３０５に対して接線方向に接合される。第２の楕円面はロードフランク１５０、２５０、３５０に垂直な長軸（ｃｃ）をもつ。長軸ｂｂは長軸ｃｃに垂直である。軸の配向は、ｃｃがロードフランクに垂直でなければならず、またｂｂとｃｃは相互に対して垂直でなければならないことを考慮して規定される。